(57)【特許請求の範囲】
【請求項１】
圧縮機を制御する圧縮機制御リレーと、冷暖切替用の４方弁を制御する４方弁制御リレーと、室外ファンモータを制御する室外ファンモータ制御リレーと、前記室外ファンモータ制御リレーに流れる電流を検出する電流検出手段と、室外機配管温度を検出し、所定温度以下で閉となり、他の所定温度以上で開となるサーマルリードスイッチと、前記室外ファンモータ制御リレーのＯＮ動作で前記サーマルリードスイッチへの通電をＯＮするサーマルリードスイッチ通電制御リレーと、前記圧縮機制御リレーおよび前記サーマルリードスイッチ通電制御リレーがＯＮ時、前記サーマルリードスイッチの閉動作に同期してリレー接点を前記室外ファンモータ制御リレー側から前記４方弁制御リレー側に切り替える通電切替リレーとを備え、前記通電切替リレーと直列に室外ファンモータリレーと室外ファンモータとの直列回路を接続し、この室外ファンモータリレーを、前記室外ファンモータ制御リレーのＯＮ動作でＯＮする構成とした空気調和機の除霜運転制御装置。
【請求項２】
前記室外ファンモータリレーの代わりに、前記サーマルリードスイッチ通電制御リレーを２極リレーとし、１極を前記サーマルリードスイッチへの通電制御用とし、他の１極を前記通電切替リレーと前記室外ファンモータの間に設けた構成とした請求項１記載の空気調和機の除霜運転制御装置。
【請求項３】
圧縮機を制御する圧縮機制御リレーと、冷暖切替用の４方弁を制御する４方弁制御リレーと、室外ファンモータを制御する室外ファンモータ制御リレーと、前記室外ファンモータ制御リレーに流れる電流を検出する電流検出手段と、室外機配管温度を検出し、所定温度以下で閉となり、他の所定温度以上で開となるサーマルリードスイッチと、前記室外ファンモータ制御リレーのＯＮ動作で前記サーマルリードスイッチへの通電をＯＮするサーマルリードスイッチ通電制御リレーと、前記圧縮機制御リレーおよび前記サーマルリードスイッチ通電制御リレーがＯＮ時、前記サーマルリードスイッチの閉動作に同期してリレー接点を前記室外ファンモータ制御リレー側から前記４方弁制御リレー側に切り替える通電切替リレーとを備え、前記通電切替リレーと前記サーマルリードスイッチ通電制御リレーとの間に室外ファンモータを設けた構成とした請求項１記載の空気調和機の除霜運転制御装置。
【請求項４】
前記通電切替リレーを遅延リレーとした請求項１から請求項３に記載の空気調和機の除霜運転制御装置。
【発明の詳細な説明】
【０００１】
【発明の属する技術分野】
本発明は、室外機に制御装置を搭載していない冷暖房両用型の空気調和機の除霜運転制御装置に関するものである。
【０００２】
【従来の技術】
一般に冷暖房両用型の空気調和機は、暖房運転時の除霜制御が必須であるが、コスト、信頼性の観点より室外機に制御装置を搭載しない方式が一般的にとられており、従来技術としては特開平８−２００９００号公報に記載されているようなものがあった。
【０００３】
以下、図８により従来の空気調和機の除霜運転制御装置について説明する。図８は従来例の電気回路図で、図９は除霜運転制御のタイミング図である。図８に示すように、交流電源１は室内側より電源供給を行っている。室内機側には、室外機の圧縮機２を制御する圧縮機制御リレー３と、冷房と暖房の各運転を切り替える冷暖切替用の４方弁を制御する４方弁制御リレー５と、室外熱交換器（図示せず）に送風する室外ファンモータ６を制御する室外ファンモータ制御リレー７が設けられており、それぞれラインＬ１、Ｌ２、Ｌ３、Ｌ４を経由して室外機（図示せず）に接続されている。
【０００４】
室外ファンモータ制御リレー７に流れる電流は、電流検出手段８（以下ＣＴと記す）により常時観測されている。室外機側には、配管温度を検出し、所定温度以下で閉となり、他の所定温度以上で開となるサーマルリードスイッチ９（以下、ＴＲＳと記す）が圧縮機制御リレー３のラインＬ１に接続されており、ＴＲＳ９と、リレーのコイル部が室外ファンモータ制御リレー７のラインＬ２に接続されたサーマルリードスイッチ通電制御リレー１０（以下ＴＲＳ通電制御リレーと記す）と、リレー接点のＮＣ端子が室外ファンモータ制御リレー７のラインＬ２、ＮＯ端子が４方弁制御リレー５のラインＬ３に接続された通電切替リレー１１のコイル部とが直列で構成されている。また、通電切替リレー１１のリレー接点のＣＯＭ端子は室外ファンモータ６に接続されている。
【０００５】
次に、図９を用いてその動作を説明する。ここで、ＴＲＳ９の特性は仮に−３℃以下で閉、６℃以上で開となるヒステリシスを持つものとする。そして、周知の冷凍サイクル回路に冷房時と逆に圧縮した冷媒を循環させる暖房運転時、４方弁制御リレー５がＯＮで、圧縮機制御リレー３および室外ファンモータ制御リレー７がＯＮの状態では、ＴＲＳ通電制御リレー１０のコイル部が室外ファンモータ制御リレー７により励磁されて接点がＯＮとなる。
【０００６】
そして、室外機配管温度が−３℃以上の場合（領域Ａ）、ＴＲＳ９は開となり、通電切替リレー１１のコイル部は励磁されずＯＮしない。従って、室外ファンモータ６の電源は室外ファンモータ制御リレー７よりラインＬ２を経由して供給されることになり、ＣＴ８には室外ファンモータ電流が流れる。
【０００７】
次に暖房運転中に室外機配管温度が−３℃以下となり、ＴＲＳ９が閉となると（領域Ｂ）、通電切替リレー１１のコイル部が励磁されリレー接点はＮＣからＮＯに切り替わり室外ファンモータ６の電源は４方弁制御リレー５よりラインＬ３を経由して供給される。その結果、ＣＴ８には流れる電流はゼロに変化する。この信号が室内側制御装置（図示せず）に入力され、除霜運転の制御が開始される。この除霜制御は、室外配管温度が−３℃以下となった時点から所定時間後に４方弁制御リレー５をＯＦＦし、その結果室外ファンモータ６もＯＦＦの状態で冷媒を暖房時と逆に循環させ除霜運転を継続する。
【０００８】
除霜運転が進行して室外熱交換器に付着した霜が除去され室外配管温度が上昇し、６℃以上となると（領域Ｃ）、ＴＲＳ９が開となり通電切替リレー１１のコイル部の励磁がなくなり、リレー接点はＮＯからＮＣに切り替わる。その結果、室外ファンモータ６の電源は室外ファンモータ制御リレー７よりラインＬ２を経由して供給されることになり、ＣＴ８には室外ファンモータ電流が流れ、この電流変化により室外配管温度が上昇したことを認知し、圧縮機制御リレー３を一定時間ＯＦＦした後、４方弁制御リレー５をＯＮし除霜制御を終了する。
【０００９】
【発明が解決しようとする課題】
しかしながら、上記従来の構成では以下のような課題があった。すなわち、暖房時においては、室外機側の熱交換能力が大きくなってきた場合に室外ファンモータ制御リレー７をＯＦＦし、室外ファンモータ６を停止する暖房過負荷制御を行っている。従って、空調負荷によっては高い頻度で室外ファンモータ制御リレー７をＯＮ／ＯＦＦすることになるため、室外ファンモータ制御リレー７が機械式リレーではその動作音が問題となり半導体リレーを使用する必要があった。
【００１０】
一方、室外ファンモータ制御リレー７として半導体リレーを使用した場合には、以下の課題が残る。つまり、４方弁制御リレー５がＯＮ、圧縮機制御リレー３および室外ファンモータ制御リレー７がＯＮの状態で、室外機配管温度が−３℃以下で、ＴＲＳ９が閉となっている場合、先に説明したように、室外ファンモータ６の電源は４方弁制御リレー５より供給されることになる。
【００１１】
この状態で、暖房過負荷制御により室外ファンモータ制御リレー７がＯＦＦに変化した時（図９の領域Ｄ）、ＴＲＳ通電制御リレー１０のコイル部の励磁がＯＦＦとなり接点がＯＦＦし、通電切替リレー１１のコイル部の励磁もＯＦＦとなりリレー接点がＮＯからＮＣへ切り替わる。従って、室外ファンモータ６への電源供給ラインが４方弁制御リレー５のラインＬ３から室外ファンモータ制御リレー７のラインＬ２へ切り替わり室外ファンモータ６は停止する。ここで、通電切替リレー１１の接点が切り替わった瞬間、それまでＯＮであった室外ファンモータ６の誘起電圧が通電切替リレー１１のＮＣ接点、ラインＬ２を経由しＯＦＦ状態の室外ファンモータ制御リレー７に印加される。この電圧は通常電圧の約２倍に達する。そのため、室外ファンモータ制御リレー７には高耐圧の素子が要求されコストが高くなると言う課題があった。また、海外の電源電圧が高い市場向けには素子の高耐圧化により部品が大型化する等の課題もあった。
【００１２】
本発明は上記従来の課題を解決するものであり、室外機に制御装置を搭載しない除霜制御装置を高品質で安価かつ小型に実現することを目的とするものである。
【００１３】
【課題を解決するための手段】
上記課題を解決するために本発明は、圧縮機を制御する圧縮機制御リレーと、冷暖切替用の４方弁を制御する４方弁制御リレーと、室外ファンモータを制御する室外ファンモータ制御リレーと、前記室外ファンモータ制御リレーに流れる電流を検出する電流検出手段と、室外機配管温度を検出し、所定温度以下で閉となり、他の所定温度以上で開となるＴＲＳと、前記室外ファンモータ制御リレーのＯＮ動作で前記ＴＲＳへの通電をＯＮするＴＲＳ通電制御リレーと、前記圧縮機制御リレーおよび前記ＴＲＳ通電制御リレーがＯＮ時、前記ＴＲＳの閉動作に同期してリレー接点を前記室外ファンモータ制御リレー側から前記４方弁制御リレー側に切り替える通電切替リレーとを備え、前記通電切替リレーと直列に室外ファンモータリレーと室外ファンモータの直列回路を接続し、この室外ファンモータリレーを、前記室外ファンモータ制御リレーのＯＮ動作でＯＮする構成としたものである。
【００１４】
この構成により、室外ファンモータ制御リレーに半導体リレーを使用した場合においても、暖房過負荷制御時に室外ファンモータ制御リレーに室外ファンモータの誘起電圧が印加されず、室外ファンモータ制御リレーに高耐圧素子を使用することなく小型で安価な半導体リレーを用いて高品質の除霜制御装置を実現できる。
【００１５】
また、前記室外ファンモータリレーの代わりに、前記ＴＲＳ通電制御リレーを２極リレーとし、１極を前記ＴＲＳへの通電制御用とし、他の１極を前記通電切替リレーと前記室外ファンモータの間に備えた構成としたものである。
【００１６】
この構成により、別個の室外ファンモータリレーが不用になり収納スペースをとることなく、暖房過負荷制御時の室外ファンモータ制御リレーへの室外ファンモータ誘起電圧の印加を防止できるため、部品点数の増加なしで、小型で安価な半導体リレーを用いて品質の高い除霜制御装置を安価に実現できる。
【００１７】
また、室外機に、前記ＴＲＳと、前記室外ファンモータ制御リレーのＯＮ動作で前記ＴＲＳへの通電をＯＮするＴＲＳ通電制御リレーと、前記圧縮機制御リレーおよび前記ＴＲＳ通電制御リレーがＯＮ時、前記ＴＲＳの閉動作に同期してリレー接点を前記室外ファンモータ制御リレーから前記４方弁制御リレー側に切り替える通電切替リレーを備え、前記通電切替リレーと前記ＴＲＳ通電制御リレーとの間に室外ファンモータを設けたものである。
【００１８】
この構成により、従来と同一構成部品で以って、暖房過負荷制御時の室外ファンモータ制御リレーへ印加される室外ファンモータ誘起電圧を低減でき、さらに安価に除霜制御装置を実現できる。
【００１９】
また、前記通電切替リレーを遅延リレーとしたものである。この構成により、遅延リレーの遅延時間を適当に選択することにより、暖房過負荷制御時の室外ファンモータ制御リレーへ印加される室外ファンモータ誘起電圧を完全に無くすことができ、さらに高品質な除霜制御装置を実現できる。
【００２０】
【発明の実施の形態】
以下本発明の実施の形態について図面を参照して説明する。
【００２１】
（実施の形態１）
図１は本発明の実施の形態１による電気回路を示した図で、図２は除霜運転制御のタイミング図である。図１に示すように、交流電源１は室内側より電源供給を行っている。室内機側には、室外機の圧縮機２を制御する圧縮機制御リレー３と、冷房と暖房時において冷凍サイクルに循環させる冷媒の循環方向を逆に切り替える冷暖切替用の４方弁４を制御する４方弁制御リレー５と、室外ファンモータ６を制御する半導体リレー等の室外ファンモータ制御リレー７が設けられており、それぞれラインＬ１、Ｌ２、Ｌ３、Ｌ４を経由して室外機に接続されている。室外ファンモータ制御リレー７に流れる電流は、ＣＴ８により常時観測されている。室外機側には、配管温度を検出し、所定温度以下で閉となり、他の所定温度以上で開となるＴＲＳ９が圧縮機制御リレー３のラインＬ１に接続されており、ＴＲＳ９と、コイル部１０ａが室外ファンモータ制御リレー７のラインＬ２に接続されたＴＲＳ通電制御リレー１０と、リレー接点のＮＣ端子が室外ファンモータ制御リレー７のラインＬ２、ＮＯ端子が４方弁制御リレー５のラインＬ３に接続され、かつコイル部１１ａがＴＲＳ通電制御リレー１０の接点１０ｂに接続した通電切替リレー１１とが直列で構成されている。また、通電切替リレー１１のリレー接点のＣＯＭ端子は、コイル部１２ａが室外ファンモータ制御リレー７のラインＬ２に接続された室外ファンモータリレー１２の接点１２ｂを介して室外ファンモータ６に接続されている。
【００２２】
次に図２を用いて上記除霜制御装置の動作を説明する。ここで、ＴＲＳ９の特性は従来技術と同様に、仮に−３℃以下で閉、６℃以上で開となるヒステリシスを持つものとする。周知の冷凍サイクル回路に冷房時と逆に圧縮した冷媒を循環させる暖房運転時、すなわち４方弁制御リレー５がＯＮで、圧縮機制御リレー３および室外ファンモータ制御リレー７がＯＮの状態では、ＴＲＳ通電制御リレー１０のコイル部１０ａおよび室外ファンモータリレー１２のコイル部１２ａは室外ファンモータ制御リレー７、ラインＬ２からの通電により励磁されてそれぞれの接点１０ｂ、１２ｂがＯＮとなる。
【００２３】
ここで、室外機配管温度が−３℃以上の場合（図２の領域Ａ）、ＴＲＳ９が開のため、通電切替リレー１１のコイル部１１ａが励磁されず接点はＯＮしない（ＮＣ端子側）。従って、室外ファンモータ６の電源は室外ファンモータ制御リレー７よりラインＬ２、通電切替リレー１１のＮＣ端子、室外ファンモータリレー１２の接点１２ｂを経由して供給され、ＣＴ８には室外ファンモータ電流が流れる。
【００２４】
暖房時に室外機配管温度が−３℃以下となり、ＴＲＳ９が閉となると（図２の領域Ｂ）、通電切替リレー１１のコイル部１１ａが励磁されリレー接点はＮＣ端子からＮＯ端子に切り替わり室外ファンモータ６の電源は４方弁制御リレー５よりラインＬ３、通電切替リレー１１のＮＯ端子、室外ファンモータリレー１２の接点１２ｂを経由して供給される。その結果、ＣＴ８に流れる電流はゼロに変化する。
【００２５】
この信号が制御装置（図示せず）に入力され、除霜運転の制御が開始される。除霜制御は室外配管温度が−３℃以下となった時点から所定時間後に４方弁制御リレー５をＯＦＦし、その結果室外ファンモータ６もＯＦＦ状態で冷媒を暖房時と逆に循環させ除霜運転を継続する。除霜運転が進行して室外熱交換器に付着した霜が除去され室外配管温度が上昇し、６℃以上となると（図２の領域Ｃ）、ＴＲＳ９が開となり、通電切替リレー１１のコイル部１１ａの励磁がなくなりリレー接点はＮＯ端子からＮＣ端子に切り替わり、室外ファンモータ６の電源は室外ファンモータ制御リレー７よりラインＬ２、通電切替リレー１１のＮＣ端子、室外ファンモータリレー１２の接点１２ｂを経由して供給される。
【００２６】
その結果、ＣＴ８には室外ファンモータ電流が流れる。この電流変化により室外配管温度が上昇したことを認知し、圧縮機制御リレー３を一定時間ＯＦＦした後、４方弁制御リレー５をＯＮし除霜制御を終了する。
【００２７】
次に、室外機配管温度が低い状態での暖房過負荷制御の動作について説明する。すなわち、暖房過負荷制御は図２の領域Ｄに相当するが、この図における本実施の形態では、機械式リレーの接点動作の遅延を考慮していないため、本実施の形態の発明に関連する部分を詳細に示した図３の暖房過負荷制御のタイミング図により説明する。
【００２８】
４方弁制御リレー５がＯＮ、圧縮機制御リレー３および室外ファンモータ制御リレー７がＯＮで、室外機配管温度が−３℃以下で、ＴＲＳ９が閉となっている場合、先に説明したように室外ファンモータ６の電源は４方弁制御リレー５より供給されている。この状態で、暖房過負荷制御により室外ファンモータ制御リレー７がＯＦＦに変化した時、ＴＲＳ通電制御リレー１０および室外ファンモータリレー１２のコイル部１０ａ、１２ａの励磁がＯＦＦとなる。
【００２９】
その結果、ＴＲＳ通電制御リレー１０および室外ファンモータリレー１２の接点１０ｂ、１２ｂがＯＦＦとなるが、その動作はそれぞれ機械式リレーの接点復帰時間Ｔａ、Ｔｂ分だけ遅れる。室外ファンモータリレー１２の接点１２ｂがＯＦＦにより室外ファンモータ６は停止する。また、ＴＲＳ通電制御リレー１０の接点１０ｂのＯＦＦにより通電切替リレー１１のコイル部１１ａの励磁がＯＦＦになりリレー接点がＮＯ端子からＮＣ端子へ切り替わる。その動作も、リレーの接点復帰時間Ｔｃ分だけ遅れる。
【００３０】
一方、通電切替リレー１１の接点がＮＯ端子からＮＣ端子へ切り替わることにより、室外ファンモータ６への電源供給ラインが４方弁制御リレー５のラインＬ３から室外ファンモータ制御リレー７のラインＬ２へ切り替わり、室外ファンモータ６は停止するが、直前までＯＮであったため、誘起電圧が発生する。しかし、室外ファンモータ６と室外ファンモータ制御リレー７との経路は室外ファンモータリレー１２の接点１２ｂにより既に遮断されているため、室外ファンモータ６の誘起電圧の室外ファンモータ制御リレー７への印加を防止できる。
【００３１】
以上のように本実施の形態では、室外ファンモータ制御リレー７に半導体リレーを使用した場合においても、暖房過負荷制御時に室外ファンモータリレー１２により電源供給ラインである室外ファンモータ６への室外ファンモータ制御リレー７の経路を事前に遮断しているので、室外ファンモータ制御リレー７に室外ファンモータ６の誘起電圧が印加されず、室外ファンモータ制御リレーに高耐圧素子を使用することなく小型で安価な半導体リレーを用いることができる。
【００３２】
（実施の形態２）
次に、本発明の実施の形態２について図４、図５を用いて説明する。図４は電気回路図で、図５は暖房過負荷制御を示すタイミング図である。本実施の形態は、部品点数を少なくするため、実施の形態１における室外ファンモータリレーの代わりに、ＴＲＳ通電制御リレーを２極リレーとし、１極をＴＲＳへの通電制御用とし、他の１極を通電切替リレーと室外ファンモータの間に設けた点が実施の形態１の発明と異なり、これ以外の同一構成および作用効果を奏する構成には同一符号を付して詳細な説明を省略し、異なる処を中心に説明する。
【００３３】
実施の形態１の発明においては、室外ファンモータ制御リレー７により、ＴＲＳ通電制御リレー１０と室外ファンモータリレー１２とのコイル部を同時に制御するようにしているが、それぞれのリレーの接点復帰時間Ｔａ、Ｔｂに差があり、室外ファンモータリレー１２の接点復帰時間Ｔｂが極端に大きくなった場合、室外ファンモータ６への通電停止より通電切替リレー１１の接点がＮＯ端子からＮＣ端子へ切り替わるタイミングが遅れた場合、室外ファンモータ６の誘起電圧が室外ファンモータ制御リレー７に印加される可能性がある。また、室外ファンモータリレー１２を追加することにより、その収納スペースも必要になる。
【００３４】
然るに本実施の形態の発明は、この問題点を解決するものである。すなわち、図４に示すように、実施の形態１による室外ファンモータリレー１２の代わりに、ＴＲＳ通電制御リレー２０を２極とし、１極である接点２０ｂを通電切替リレー１１のコイル部１１ａに接続し、他の１極である接点２０ｃを通電切替リレー１１のＣＯＭ端子と室外ファンモータ６の間に接続してある。また、ＴＲＳ通電制御リレー２０は、そのコイル部２０ａを室外ファンモータ制御リレー７からのラインＬ２とラインＬ４の間に接続している。
【００３５】
次に、上記除霜制御装置における暖房過負荷制御の動作を図５に従い説明する。４方弁制御リレー５がＯＮ、圧縮機制御リレー３および室外ファンモータ制御リレー７がＯＮで、室外機配管温度が−３℃以下で、ＴＲＳ９が閉となっている場合、先に説明したように室外ファンモータ６の電源は４方弁制御リレー５より供給されている。この状態で、暖房過負荷制御により室外ファンモータ制御リレー７がＯＦＦに変化した時、ＴＲＳ通電制御リレー２０のコイル部２０ａの励磁がＯＦＦとなる。
【００３６】
その結果、ＴＲＳ通電制御リレー２０の接点２０ｂ、２０ｃがＯＦＦとなるが、その動作はそれぞれ機械式リレーの接点復帰時間Ｔａ、Ｔｂ分だけ遅れる。また、ＴＲＳ通電制御リレー２０の接点２０ｂのＯＦＦにより通電切替リレー１１のコイル部１１ａの励磁がＯＦＦになりリレー接点がＮＯ端子からＮＣ端子へ切り替わる。その動作も、リレーの接点復帰時間Ｔｃ分だけ遅れる。
【００３７】
一方、通電切替リレー１１の接点がＮＯ端子からＮＣ端子へ切り替わることにより、室外ファンモータ６への電源供給ラインが４方弁制御リレー５のラインＬ３から室外ファンモータ制御リレー７のラインＬ２へ切り替わり、室外ファンモータ６は停止するが、直前までＯＮであったため、誘起電圧が発生する。しかし、室外ファンモータ６への電源供給経路はＴＲＳ通電制御リレー２０の接点２０ｃのＯＦＦにより既に遮断されているため、室外ファンモータ６の誘起電圧の室外ファンモータ制御リレー７への印加を防止できる。
【００３８】
このようにＴＲＳ通電制御リレー２０の各接点２０ｂ、２０ｃの接点復帰時間は、ばらつきが少ないため、ＴＲＳ通電制御リレー２０により室外ファンモータ６への通電が遮断されてから、ほぼ通電切替リレー１１の接点復帰時間Ｔｃだけ遅れて、通電切替リレー１１の接点がＮＯ端子からＮＣ端子へ切り替わる。そのため、室外ファンモータ６の誘起電圧が室外ファンモータ制御リレー７に印加されることがなく、室外ファンモータ制御リレー７として、高耐圧の素子を必要としないのである。
【００３９】
以上のように本実施の形態では、実施の形態１における室外ファンモータリレーを別個に追加する必要がないので、収納スペースをとることなく装置をコンパクトにでき、かつ暖房過負荷制御時の室外ファンモータ制御リレーへの室外ファンモータ誘起電圧の印加を防止できるため、部品点数の増加なしで、小型で安価な半導体リレーを用いることができる。
【００４０】
（実施の形態３）
次に、実施の形態３について図６、図７を用いて説明する。図６は電気回路図で、図７は暖房過負荷制御を示すタイミング図である。本実施の形態は、従来技術と同一構成部品で以って、暖房過負荷制御時の室外ファンモータ制御リレーへ印加される室外ファンモータ誘起電圧を低減させるように構成した点で実施の形態１の発明と異なり、これ以外の同一構成および作用効果を奏する構成には同一符号を付して詳細な説明を省略し、異なる処を中心に説明する。
【００４１】
図６において、室外機側には、配管温度を検出し、所定温度以下で閉となり、他の所定温度以上で開となるＴＲＳ９が圧縮機制御リレー３のラインＬ１に接続されており、ＴＲＳ９と、コイル部１０ａが室外ファンモータ制御リレー７のラインＬ２に接続され、かつ接点１０ｂが通電切替リレー１１のコイル部１１ａに接続したＴＲＳ通電制御リレー１０と、リレー接点のＮＣ端子が室外ファンモータ制御リレー７のラインＬ２、ＮＯ端子が４方弁制御リレー５のラインＬ３に接続され、かつコイル部１１ａがＴＲＳ９に接続した通電切替リレー１１とが直列で構成されている。室外ファンモータ６は、通電切替リレー１１のリレー接点のＣＯＭ端子とＴＲＳ通電制御リレー１０の接点１０ｂの間に接続している。また、ファンモータ６には、ファンモータが停止してから誘起電圧が減少するまでの時間が比較的に短い小出力のものを使用する。
【００４２】
次に、図７を用いて本実施の形態の除霜制御装置における暖房過負荷制御の動作を説明する。４方弁制御リレー５がＯＮ、圧縮機制御リレー３および室外ファンモータ制御リレー７がＯＮの状態で、室外機配管温度が−３℃以下で、ＴＲＳ９が閉となっている場合、室外ファンモータ６の電源は４方弁制御リレー５より供給されている。
【００４３】
この状態で、暖房過負荷制御により室外ファンモータ制御リレー７がＯＦＦに変化した時、ＴＲＳ通電制御リレー１０のコイル部１０ａの励磁がＯＦＦとなる。その結果、接点復帰時間Ｔａ分遅れでＴＲＳ通電制御リレー１０の接点１０ｂがＯＦＦとなり、同時に室外ファンモータ６への通電もＯＦＦとなる。次に、ＴＲＳ通電制御リレー１０の接点１０ｂのＯＦＦにより通電切替リレー１１のコイル部１１ａの励磁がＯＦＦとなり、リレー接点は接点復帰時間Ｔｃ分だけ遅れてＮＯ端子からＮＣ端子へ切り替わる。
【００４４】
このように通電切替リレー１１の接点がＮＯ端子からＮＣ端子へ切り替わることにより、室外ファンモータ６への電源供給ラインは、４方弁制御リレー５のラインＬ３から室外ファンモータ制御リレー７のラインＬ２へ切り替わるが、このとき既に室外ファンモータ６の通電は、遮断したＴＲＳ通電制御リレー１０の接点１０ｂによりＯＦＦされている。従って、小出力のファンモータ６を使用した場合、ファンモータが停止してから誘起電圧が減少する時間は短いため、通電切替リレー１１の接点復帰時間Ｔｃ内に誘起電圧は消滅し、室外ファンモータ制御リレー７に印加される室外ファンモータ６の誘起電圧を低レベルに抑制できる。
【００４５】
以上のように本実施の形態では、従来と同一構成部品を使用しても暖房過負荷制御時の室外ファンモータ制御リレーへ印加される室外ファンモータ誘起電圧を安価に低減できるのである。
【００４６】
（実施の形態４）
本実施の形態は、実施の形態１から実施の形態３において、通電切替リレー１１に使用した通常のリレーを、遅延リレーにするものである。このように通電切替リレー１１を遅延リレーにすることで、室外ファンモータ６への通電ＯＦＦ後、完全に室外ファンモータ６が停止し誘起電圧がゼロとなった時点で通電切替リレー１１の接点がＮＯ端子からＮＣ端子に切り替わるので、暖房過負荷制御時の室外ファンモータ制御リレー７へ印加される室外ファンモータ６の誘起電圧を無くすことができる。
【００４７】
【発明の効果】
上記実施の形態から明らかなように、請求項１に記載の発明によれば、室外ファンモータ制御リレーに半導体リレーを使用した場合においても、暖房過負荷制御時に室外ファンモータ制御リレーに室外ファンモータの誘起電圧が印加されず、室外ファンモータ制御リレーに高耐圧素子を使用することなく小型で安価な高品質の除霜制御装置を実現できる。
【００４８】
請求項２に記載の発明によれば、リレーの接点復帰時間のばらつきによる効果の低減を防ぐことができるとともに、別個の室外ファンモータリレーの追加をなくしてスペースのコンパクト化を図り、かつ部品点数の増加なしで暖房過負荷制御時の室外ファンモータ制御リレーへの室外ファンモータ誘起電圧の印加を防止でき、小型で安価な高品質の除霜制御装置を安価に実現できる。
【００４９】
請求項３に記載の発明によれば、従来技術と同一構成部品で以って暖房過負荷制御時の室外ファンモータ制御リレーへ印加される室外ファンモータの誘起電圧を低減でき、さらに安価に除霜制御装置を実現できる。特に、小出力のファンモータにおいては室外ファンモータの誘起電圧を問題にならないレベルまで低減でき有効である。
【００５０】
請求項４に記載の発明によれば、通電切替リレーを遅延リレーとし、その遅延時間を適当に選択することにより、暖房過負荷制御時の室外ファンモータ制御リレーへ印加される室外ファンモータの誘起電電圧を無くすことができ、さらに高品質の除霜制御装置を実現できる。
【図面の簡単な説明】
【図１】本発明の実施の形態１における空気調和機の除霜運転制御装置の電気回路図
【図２】同実施の形態１における空気調和機の除霜運転制御装置のタイミング図
【図３】同実施の形態１による空気調和機の除霜運転制御装置における暖房過負荷制御のタイミング図
【図４】同実施の形態２における空気調和機の除霜運転制御装置の電気回路図
【図５】同実施の形態２による空気調和機の除霜運転制御装置における暖房過負荷制御のタイミング図
【図６】同実施の形態３における空気調和機の除霜運転制御装置の電気回路図
【図７】同実施の形態３による空気調和機の除霜運転制御装置における暖房過負荷制御のタイミング図
【図８】従来例における空気調和機の除霜運転制御装置の電気回路図
【図９】同空気調和機の除霜運転制御装置のタイミング図
【符号の説明】
２  圧縮機
３  圧縮機制御リレー
４  ４方弁
５  ４方弁制御リレー
６  室外ファンモータ
７  室外ファンモータ制御リレー
９  サーマルリードスイッチ（ＴＲＳ）
１０，２０  サーマルリードスイッチ通電制御リレー（ＴＲＳ通電制御リレー）
１１  通電切替リレー
１２  室外ファンモータリレー
【図１】
0003855662.tif 000002
【図２】
0003855662.tif 000003
【図３】
0003855662.tif 000004
【図４】
0003855662.tif 000005
【図５】
0003855662.tif 000006
【図６】
0003855662.tif 000007
【図７】
0003855662.tif 000008
【図８】
0003855662.tif 000009
【図９】
0003855662.tif 000010